(57)【要約】【課題】本発明は、インベントリ作成を少なくし、データ保管システム作動における効率を上げようとするものである。【解決手段】インベントリ作成管理装置は、データ保管システムのアクセス装置に関して、該アクセス装置を開けることによって第１の位置から第２の位置へと動かされるように配置されたラッチを備える。センサが、該ラッチの位置を示すラッチ状態を検知する。インベントリ作成管理装置はまた、該センサに通信可能に結合する制御ロジックを含む。制御ロジックは、前記ラッチが前記第２の位置にあることを前記センサが示す場合には、前記データ保管システムに、前記アクセス装置に関連する１つまたは複数の保管場所のインベントリ作成を行わせる。制御ロジックは、前記ラッチが前記第１の位置にあることを前記センサが示す場合には、前記データ保管システムに、前記１つまたは複数の保管場所のインベントリ作成を行わせない。【選択図】図１
2005093047.tif 000002
【特許請求の範囲】
【請求項１】
データ保管システムのアクセス装置を開けることによって第１の位置から第２の位置へと動かされるように配置されたラッチと、
前記ラッチの位置を示したラッチ状態を検知するセンサと、
前記センサに通信可能に結合され、前記ラッチが前記第２の位置にあることを前記センサが示す場合には、前記データ保管システムに、前記アクセス装置に関連する１つまたは複数の保管場所のインベントリ作成を行わせ、前記ラッチが前記第１の位置にあることを前記センサが示す場合には、前記データ保管システムに、前記１つまたは複数の保管場所のインベントリ作成を行わせない制御ロジックと
を備えることを特徴とするインベントリ作成管理装置。
【請求項２】
前記アクセス装置はデータ保管引出しを備えることを特徴とする、請求項１に記載のインベントリ作成管理装置。
【請求項３】
前記保管場所は、前記データ保管引出し内のデータカートリッジの場所を備えていることを特徴とする、請求項２に記載のインベントリ作成管理装置。
【請求項４】
前記ラッチを前記第２の位置から前記第１の位置へと動かすアクチュエータをさらに備え、前記制御ロジックは、前記アクチュエータを制御して、前記ラッチを前記第２の位置から前記第１の位置へと動かすことを特徴とする、請求項１ないし３のいずれか１項に記載のインベントリ作成管理装置。
【請求項５】
前記アクチュエータはソレノイドを備えていることを特徴とする、請求項４に記載のインベントリ作成管理装置。
【請求項６】
前記センサは光遮断器を備えていることを特徴とする、請求項１ないし５のいずれか１項に記載のインベントリ作成管理装置。
【請求項７】
データ保管システムのアクセス装置が前記データ保管システムの終了している間に開いたかどうかを示すラッチの位置を把握するステップと、
前記アクセス装置が開いたことを前記ラッチの前記位置が示す場合には、前記データ保管システムに、前記アクセス装置に関連する１つまたは複数の保管場所に対してインベントリ作成を行わせるステップと、
前記アクセス装置が開かなかったことを前記ラッチの前記位置が示す場合には、前記データ保管システムに、前記１つまたは複数の保管場所に対してインベントリ作成を行わせないステップと
を有することを特徴とする方法。
【請求項８】
前記アクセス装置が開いたことを前記ラッチの前記位置が示す場合には、前記アクセス装置が開かなかったことを示す前記位置まで前記ラッチを戻すステップをさらに有することを特徴とする、請求項７に記載の方法。
【請求項９】
前記ラッチの前記位置を把握するステップは、前記ラッチの前記位置を示すラッチ状態をセンサによって把握するステップを有することを特徴とする、請求項７または請求項８に記載の方法。
【請求項１０】
アクセス装置と、
前記アクセス装置内に配設された複数のデータカートリッジと、
第１の位置と第２の位置との間で可動の機械装置であって、前記アクセス装置を開けると、前記機械装置の位置が変わるように前記アクセス装置に関連させて配置された機械装置と、
前記機械装置に連結され、前記機械装置の動きを検知して、データ保管システムの終了している間に前記アクセス装置が開いたことを前記機械装置の前記位置が示す場合には、前記データカートリッジのインベントリ作成を開始する制御ロジックと
を備えることを特徴とするデータ保管システム。
【発明の詳細な説明】
【技術分野】
【０００１】
本発明は、データ保管システムに関し、特にデータ保管システムで使用されるインベントリ作成管理装置及び方法に関する。
【背景技術】
【０００２】
テープライブラリー等のデータ保管システムは、データ保管システム内の各場所にデータ記憶装置を保管し、そのような各場所からデータ記憶装置を取り出すのに用いられて、データをデータ記憶装置に書き込むまたはデータ記憶装置から読み出すことができるようになっている。通常、保管システムを用いて磁気データカートリッジを保管する。しかし、データ保管システムの他の実施形態においては、他のタイプのデータ記憶装置を保管してもよい。
【０００３】
データカートリッジの内容および／または配置は変わる可能性があるので、大部分のデータ保管システムは、さまざまなデータカートリッジの存在、場所、および同一性（identities）を常時監視するのに用いることができるインベントリ作成（inventory）システムを備えている。データ保管システムが作動中の場合には、データ保管システム内のデータカートリッジへのアクセスをロックすることができる。しかし、データ保管システムが意図的にまたは意図せず（例えば、停電で）シャットダウンされ、システムが終了した場合には、オペレータまたはその他のユーザがカートリッジにアクセスする可能性がある。データ保管システムのシャットダウン中にデータカートリッジの交換、取り外し、または付け加えが行われた可能性があるので、システムの再始動後にカートリッジのインベントリ作成を行わなければならない。インベントリ作成には時間がかかり、その時間の全体を必要としない場合がある。
【発明の開示】
【発明が解決しようとする課題】
【０００４】
本発明は、インベントリ作成を少なくし、データ保管システム作動における効率を上げようとするものである。
【課題を解決するための手段】
【０００５】
１つの実施形態として、インベントリ作成管理装置が開示される。インベントリ作成管理装置は、データ保管システムのアクセス装置と関し、該アクセス装置を開けることによって第１の位置から第２の位置へと動かされるように配置されたラッチを備えている。センサが、該ラッチの位置を示すラッチ状態を検知する。インベントリ作成管理装置はまた、該センサに通信可能に結合された制御ロジックを含む。制御ロジックは、前記ラッチが前記第２の位置にあることを前記センサが示す場合には、前記データ保管システムに、前記アクセス装置に関連する１つまたは複数の保管場所のインベントリ作成を行わせる。制御ロジックは、前記ラッチが前記第１の位置にあることを前記センサが示す場合には、前記データ保管システムに、前記１つまたは複数の保管場所のインベントリ作成を行わせない。
【発明を実施するための最良の形態】
【０００６】
本発明の説明的な実施形態を図に示す。インベントリ作成管理装置を有する例示的データ保管システムを図１ないし図３に示す。例として、データ保管システムは、データカートリッジを保管するのに用いるライブラリであってもよい。データ保管システム１００は、データ記憶装置（例えば、データカートリッジ）１４０〜１４６を保持する複数の保管場所を含む。１つまたは複数のアクセス装置１１０、１２０によって、ユーザまたはシステムオペレータは、アクセス装置１２０に関連するデータ記憶装置１４０〜１４６にアクセスすることができる。
【０００７】
図１に示すように、アクセス装置１２０はデータ保管引出しであってもよい。データ保管引出しは、データ記憶装置１４０〜１４６を保持する１つまたは複数の保管場所を含む、カートリッジマガジン１３０を保持してもよい。データ保管引出し１２０が開いている場合には、ユーザは、引出し１２０内に含まれているデータ記憶装置１４０〜１４６にアクセスできるが、引出し１１０内に含まれているデータ記憶装置にはアクセスできない。代替の実施形態は、より多くのまたはこれよりも少ないデータ保管引出し１１０、１２０を含んでもよい、ということが理解されるべきである。さらに、データ保管引出しはそれぞれ、より多くのカートリッジマガジン１３０を含んでもよく、または、データ記憶装置を保管する他の機構を用いてもよい。
【０００８】
他のアクセス装置も容易に考えられる。たとえば、アクセス装置１２０は、データ記憶装置へのドアであってもよい。ユーザは、そこを通して入り、データ記憶装置内のすべての保管場所にアクセスすることができる。アクセス装置はまた、データ保管システム１００内のデータ保管場所のうちの一部またはすべてにユーザがアクセスすることができるようにしたドアまたはその他の機構であってもよい。
【０００９】
データ保管システム１００はまた、コントロールパネル１５０も含む。コントロールパネルを用いて、ユーザに情報を表示してもよい。コントロールパネルはまた、電源ボタンやリセットボタン等、ライブラリの制御を行うのに用いてもよい。代替の実施形態において、データ保管システム１００はコントロールパネル１５０を含まなくてもよい。
【００１０】
図２に示すように、データ保管システムはまた、１つまたは複数の読出／書込装置（例えば、テープ駆動装置）２３０、２３２および電源２４０も含んでもよい。データ保管システムはまた、複数のカードスロット２０２、２０４、２０６、２０８を含んでもよい。データ保管システム１００および／またはデータ保管システム内の装置を管理および制御するのに用いる回路カードを、カードスロットを使って保持してもよい。スロットのうちの１つ２０６は、制御ロジック２２０を保持してもよく、制御ロジック２２０は、データ保管システム１００を制御するのに用いられる回路を含んでもよい。例として、制御ロジック２２０は、データ保管システムのバックプレーン２１０に接続されたライブラリ制御カード等の回路カードであってもよい。代替の実施形態において、制御ロジックは、図２に示すものと異なる方法で実施してもよい。
【００１１】
制御ロジック２２０は、ラッチ３０４等の機械装置の位置または動きを検知する、光遮断器等のセンサ３０６に通信可能に結合している。図３Ａないし図３Ｃで示すように、ラッチ３０４は、アクセス装置１２０を開けることによってラッチが第１の位置（図３Ａに示す）から第２の位置（図３Ｂおよび図３Ｃに示す）へと動くようにアクセス装置１２０に関連させて配置されている。例として、アクセス装置１２０上のフラグ３０８によって、ラッチを第１の位置から第２の位置へと動かしてもよい。他の実施形態として、他の構造または方法を使って、アクセス装置１２０が開いているまたは部分的に開いているとき、ラッチ３０４が第１の位置から第２の位置へ動くようにしてもよい。
【００１２】
ラッチは、アクチュエータ３０２によって第１の位置へと戻されるまで、第２の位置にいてもよい。例として、アクチュエータはソレノイドまたはモータであってもよい。代替の実施形態は、図３Ａおよび図３Ｂに示す物とは異なるタイプのラッチ３０４またはセンサ３０６を用いてもよい。さらに、データ保管システム１００は、関連するアクセス装置が開いたかどうかを示す、関連するアクセス装置につながったラッチを含んでもよい。
【００１３】
ラッチ３０４の位置を示すラッチ状態が、制御ロジック２２０に伝えられる。その場合、制御ロジック２２０は、この情報を用いて、データ保管システム１００のシャットダウン中にアクセス装置１２０が開いたかどうかを判定する。データ保管システムは、電源オフ、停電、再始動、またはデータ保管システムを動作不可能にさせるその他の条件を原因として、シャットダウンしていた可能性がある。ラッチが第２の状態へと動いている場合には、制御ロジックはアクチュエータ３０２によって、ラッチを第２の位置から第１の位置へと戻させてもよい。
【００１４】
図４に関して説明するように、制御ロジック２２０は、ラッチの位置を用いて、アクセス装置１２０に関連する１つまたは複数の保管場所のインベントリ作成を行うべきかどうかを判定することができる。システムの始動または再始動（４００）後、制御ロジック２２０はラッチ３０４の位置を把握する（４０５）。例として、制御ロジック２２０は、ラッチの位置を示すラッチ状態をセンサ３０６によって把握することによって、ラッチの位置を把握してもよい。ラッチ３０４の位置は、データ保管システム１００のシャットダウン中にアクセス装置１２０が開いたかどうかを示す。
【００１５】
アクセス装置が開いた場合（４１０）には、ユーザは、そのアクセス装置に関連する１つまたは複数の保管場所内のデータ記憶装置を、並べ替え、付け加え、または動かしているかもしれない。したがって制御ロジック２２０は、このような保管場所に対してインベントリ作成が行われる（４１５）ようにしてもよい。システムのシャットダウン中に開かなかった、または、システムのシャットダウン中にアクセス装置１２０が開いたときにアクセスできなかったアクセス装置に関連する保管場所は、インベントリ作成が行われてもよく、または行われなくてもよい。アクセス装置が開いたことを示すラッチの位置の把握後のいずれかの時点で、制御ロジックはまた、アクチュエータ３０２またはその他の機構にラッチ３０４を、アクセス装置が開かなかったことを示す位置へと戻させてもよい（４２５）。
【００１６】
アクセス装置が開かなかった場合（４１０）には、アクセス装置１２０に関連する１つまたは複数の保管場所内では、データ記憶装置はおそらく付け加えたり、動かしたり、並べ替えたりはされなかった。したがって、アクセス装置１２０に関連する１つまたは複数の保管場所のインベントリ作成は必要ではない。したがって、１つまたは複数の保管場所に対するインベントリ作成は行われない（４２０）。
【００１７】
１つの実施形態において、カートリッジのアクセス装置を、アクセス装置１２０が開いた場合にはアクセスされたかもしれない保管場所のそれぞれへと動かして、データ記憶装置に含まれる、データ記憶装置のバーコードラベルをカートリッジのアクセス装置が読み取ることができるようにすることによって、インベントリ作成を行ってもよい。その場合、インベントリ作成リストを、保管場所のインベントリから取得される情報で更新することができる。インベントリ作成を行う他の方法もまた、用いてもよい。
【００１８】
アクセス装置が開いたことをラッチ状態が示さない場合には、アクセス装置１２０に関連する１つまたは複数の保管場所のインベントリ作成は必要ではない。したがって、１つまたは複数の保管場所に対するインベントリ作成は行われない（４２０）。アクセス装置が開いたかどうかを示す関連するラッチを有するアクセス装置のそれぞれについて、図４に示すプロセスを行ってもよい、ということが理解されるべきである。
【図面の簡単な説明】
【００１９】
【図１】インベントリ作成管理装置を含むデータ保管システムの正面側から見た斜視図を示す。
【図２】図１のデータ保管システムの背面側から見た斜視図を示す。
【図３Ａ】図１および図２のデータ保管システムのインベントリ作成を管理するのに用いることができる第１の位置にあるラッチを示す。
【図３Ｂ】第２の位置にある図３Ａのラッチを示す。
【図３Ｃ】図３Ｂのラッチの拡大図を示す。
【図４】図１および図２のデータ保管システムのインベントリ作成を管理する方法を示す。
【符号の説明】
【００２０】
１００  データ保管システム
１２０  アクセス装置
１４０、１４２、１４４、１４６  データカートリッジ
２２０  制御ロジック
３０４  ラッチ
３０６  センサ
【図１】
2005093047.tif 000003
【図２】
2005093047.tif 000004
【図３Ａ】
2005093047.tif 000005
【図３Ｂ】
2005093047.tif 000006
【図３Ｃ】
2005093047.tif 000007
【図４】
2005093047.tif 000008